(57)【要約】【課題】  再生映像の早送りなどのサーチ時において、容易に所望の速度に変更できるサーチ速度選択機能を備えた再生装置を提供する。【解決手段】  早送りをする際にリモコン８の早送りキー８１ａを押すと、再生映像の早送りによるサーチを行い、現在のサーチ速度のＯＳＤ表示を行う。ＯＳＤ表示がされている間に、選択キー（上）８２ａ又は選択キー（右）８２ｂにより、サーチ速度の上昇を、選択キー（下）８２ｃ又は選択キー（左）８２ｄにより、サーチ速度の減少を行うことで、ユーザは早送りのサーチ速度を増減自在に操作することができる。【選択図】      図３
2007026599.tif 000002
【特許請求の範囲】
【請求項１】
記憶媒体に記憶された映像／音声信号を再生する再生手段と、再生映像の早送り・早戻し・コマ送り・コマ戻しによるサーチ部、及び前記サーチ部による再生映像の再生速度を段階的に変更するサーチ速度変更部とを有する制御手段と、ユーザが制御手段に対して指示するための操作手段を少なくとも備える再生装置において、前記操作手段は、前記サーチ部を動作させるための第一の操作部と、前記サーチ速度変更部を動作させるための第二の操作部を備え、第一の操作部により前記サーチ部から所望の動作を選択し、第二の操作部により、前記サーチ速度変更部のサーチ速度を増減自在に変更することを特徴とするサーチ速度選択機能を備えた再生装置。
【請求項２】
前記制御手段は、前記サーチ速度を映像／音声信号に重畳させてＯＳＤ（Ｏｎ  Ｓｃｒｅｅｎ  Ｄｉｓｐｌａｙ）表示を行うＯＳＤ表示部を備えることを特徴とする請求項１に記載のサーチ速度選択機能を備えた再生装置。
【請求項３】
前記操作手段はリモコンであり、前記第一の操作部は、早送りキー、早戻しキー、コマ送りキー、コマ戻しキーを用い、前記第二の操作部は、選択キーを用いることを特徴とする請求項１又は２に記載のサーチ速度選択機能を備えた再生装置。
【発明の詳細な説明】
【技術分野】
【０００１】
本発明は、記憶媒体に記憶された映像を再生することができる再生装置であって、早送り、早戻し等のサーチ部において、サーチ速度の変更を順逆自在に変更可能なサーチ速度選択機能を備えた再生装置に関する。
【背景技術】
【０００２】
従来、再生装置において、早送りや早戻しなどのサーチ時において、サーチ速度を予め決められた段階により変更することで、ユーザが所望の場面を容易に選択することができる種々の方法が開示されている。
【０００３】
例えば、特許文献１では、リモコンの早送り若しくは早戻しキーを押した際に所定の速さによって映像を再生し、一定時間が経過するごとにサーチ速度を段階的に上昇させ、再度早送り若しくは早戻しキーを押した場合、押した時点の再生速度に固定するという方法が開示されている。
【０００４】
また、特許文献２では、リモコンの早送り若しくは早戻しキーを押してサーチをしている際に再度同じキーを押すことにより再生速度を２倍にし、また、リモコンの数字キーを押すことにより、そのキーに該当する再生速度により早送り若しくは早戻しを行う方法が開示されている。
【０００５】
【特許文献１】特開２００５−５７３８０号公報
【特許文献２】特開２００３−８５９５１号公報
【発明の開示】
【発明が解決しようとする課題】
【０００６】
しかしながら、特許文献１の方法では、ユーザが所望の速度に再生速度が到達するまでに余分な時間がかかってしまい、また、所望のサーチ速度を超えてしまった場合、再度最初の速度からやり直さなければならないなどの、ユーザの利便性を損なう恐れがあった。
【０００７】
また、特許文献２の方法では、操作が複雑になっていまい、ユーザが直感的に操作することが困難となってしまう。
【０００８】
本発明は上記課題を鑑みてなされたものであり、ユーザが容易に所望のサーチ速度を設定することができる、サーチ速度選択機能を備える再生装置を提供することを目的とする。
【課題を解決するための手段】
【０００９】
請求項１に係るサーチ速度選択機能を備えた再生装置は、記憶媒体に記憶された映像／音声信号を再生する再生手段と、再生映像の早送り・早戻し・コマ送り・コマ戻しによるサーチ部、及び前記サーチ部による再生映像の再生速度を段階的に変更するサーチ速度変更部とを有する制御手段と、ユーザが制御手段に対して指示するための操作手段を少なくとも備える再生装置において、前記操作手段は、前記サーチ部を動作させるための第一の操作部と、前記サーチ速度変更部を動作させるための第二の操作部を備え、第一の操作部により前記サーチ部から所望の動作を選択し、第二の操作部により、前記サーチ速度変更部のサーチ速度を増減自在に変更することを特徴とする。
【００１０】
請求項１の構成によれば、複数段階の速度に変更できるサーチ機能において、第一の操作部により、早送り・早戻し・コマ送り・コマ戻しの内から所望の動作を１つ選択し、第二の操作部により、選択された動作における段階的に変更可能な再生速度を、増減自在に変更することができる。
【００１１】
請求項２に係るサーチ速度選択機能を備えた再生装置は、請求項１に記載のサーチ速度選択機能を備えた再生装置において、前記制御手段は、前記サーチ速度を映像／音声信号に重畳させてＯＳＤ（Ｏｎ  Ｓｃｒｅｅｎ  Ｄｉｓｐｌａｙ）表示を行うＯＳＤ表示部を備えることを特徴とする。
【００１２】
請求項２の構成によれば、再生速度を増減自在に変更する際に、その時点における再生速度をＯＳＤ表示によって映像と共に表示することができる。
【００１３】
請求項３に係るサーチ速度選択機能を備えた再生装置は、請求項１又は２に記載のサーチ速度選択機能を備えた再生装置において、前記操作手段はリモコンであり、前記第一の操作部は、早送りキー、早戻しキー、コマ送りキー、コマ戻しキーを用い、前記第二の操作部は、選択キーを用いることを特徴とする。
【００１４】
請求項３の構成によれば、従来からあるリモコンの一構成である、早送りキー、早戻しキー、コマ送りキー、コマ戻しキー及びカーソル移動のための選択キーを用いてサーチ速度変更機能を作動させることができる。
【発明の効果】
【００１５】
請求項１に係るサーチ速度選択機能を備えた再生装置は、記憶媒体に記憶された映像／音声信号を再生する再生手段と、再生映像の早送り・早戻し・コマ送り・コマ戻しによるサーチ部、及び前記サーチ部による再生映像の再生速度を段階的に変更するサーチ速度変更部とを有する制御手段と、ユーザが制御手段に対して指示するための操作手段を少なくとも備える再生装置において、前記操作手段は、前記サーチ部を動作させるための第一の操作部と、前記サーチ速度変更部を動作させるための第二の操作部を備え、第一の操作部により前記サーチ部から所望の動作を選択し、第二の操作部により、前記サーチ速度変更部のサーチ速度を増減自在に変更するので、例えば、早送りをする際のサーチ速度を、５段階に変更できる再生装置において、速度の変更を１段階、２段階…５段階という一方向の変更だけではなく、それぞれの段階における速度を増減自在に変更でき、ユーザがサーチ速度を変更する際に、所望のサーチ速度より速いサーチ速度にしてしまった場合、容易に所望のサーチ速度に戻すことが可能となる。
【００１６】
請求項２に係るサーチ速度選択機能を備えた再生装置は、請求項１に記載のサーチ速度選択機能を備えた再生装置において、前記制御手段は、前記サーチ速度を映像／音声信号に重畳させてＯＳＤ（Ｏｎ  Ｓｃｒｅｅｎ  Ｄｉｓｐｌａｙ）表示を行うＯＳＤ表示部を備えるので、ユーザがサーチ速度を変更しても、再生映像に現在の速度を重畳されて表示し、これによりユーザは容易にサーチ速度を把握することができる。
【００１７】
請求項３に係るサーチ速度選択機能を備えた再生装置は、請求項１又は２に記載のサーチ速度選択機能を備えた再生装置において、前記操作手段はリモコンであり、前記第一の操作部は、早送りキー、早戻しキー、コマ送りキー、コマ戻しキーを用い、前記第二の操作部は、選択キーを用いるので、従来から用いられているリモコンの構造を変更することなくサーチ速度の変更を行うことができ、製造コストを抑えることができる。
【発明を実施するための最良の形態】
【００１８】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【００１９】
図１〜図３は、本発明の実施例を示し、図１は、本実施例における再生装置の構成を示すブロック図である。図２は、本実施例における再生装置の動作を示すフローチャート図であり、図３は再生装置の遠隔操作を行うリモコンの説明図である。
【００２０】
図１に基づいて、本実施例における再生装置の構成を説明する。１は記憶媒体に記憶される映像／音声信号を復調し、再生する再生装置である。２は再生装置１に挿入若しくは備える記憶媒体であり、３は記憶媒体２に記憶された映像／音声信号を復調するための再生手段である。４は再生手段４で復調された映像／音声信号を表示するための処理と共にＯＳＤ表示の処理を行う映像／音声処理手段である。５は、再生装置１内部の各手段の制御を行う制御手段であり、サーチ部５１、サーチ速度変更部５２、ＯＳＤ作成部５３を有する。６は後述するリモコンから送られる操作信号を受信する受光部であり、７は再生装置１が備える操作手段であり、直接再生装置を操作するためのものである。８は、受光部６に操作信号を送るリモコンである。
【００２１】
続いて図２に基づいて、本実施例において、再生装置に対し早送りが指示された場合の動作を説明する。再生装置１に挿入された、若しくは再生装置１に備える記憶媒体から、映像／音声信号を復調し、再生を行う（Ｓ１）。リモコン８若しくは操作手段７を用いて再生装置１に早送りをするよう指示を行い（Ｓ２）、指示に応じて制御手段５のサーチ部５ｂにより早送りを行う（Ｓ３）。続いてサーチ速度上昇を行う選択キーを押した場合（Ｓ４）、その時点でのサーチ速度が上限かどうかを判別し（Ｓ５）、上限ならば動作を行わずに入力待機の状態に、上限ではない場合は、サーチ速度変更部５ｃによりサーチ速度を１段階速くし（Ｓ６）、その時点の速度を示すＯＳＤ表示を行う（Ｓ７）。ステップＳ４において、サーチ速度上昇を行う選択キーではなく、サーチ速度減少キーを行う選択キーが押された場合は（Ｓ８）、その時点でのサーチ速度が下限かどうかを判別し（Ｓ９）、下限ならば動作を行わずに入力待機の状態に、下限ではない場合は、サーチ速度変更部５ｃによりサーチ速度を１段階遅くし（Ｓ１０）、その時点の速度を示すＯＳＤ表示を行う（Ｓ１１）。選択キーではなく、再生キー若しくは停止キーを押した場合は（Ｓ１２）、サーチ速度表示ＯＳＤを停止し、通常の再生若しくは再生の停止を行う（Ｓ１３）。
【００２２】
以上、早送りが指示された場合の動作を説明したが、早戻し、コマ送り、コマ戻しの動作も同様に行うことが可能である。
【００２３】
次に、本実施例における再生装置のリモコンについて、図３に基づいて説明する。８１は第一の操作部であり、８１ａは早送りキー、８１ｂは早戻しキー、８１ｃはコマ送りキー、８１ｄはコマ戻しキーである。８２は第二の操作部であり、通常は画面に表示された項目を選択するためのカーソルの移動などに用いられるキーである。８２ａは選択キー（上）、８２ｂは選択キー（右）、８２ｃは選択キー（下）、８２ｄは選択キー（左）をそれぞれ示している。サーチ速度の上昇は選択キー（上）８２ａ若しくは選択キー（右）８２ｂを用い、サーチ速度の減少は選択キー（下）８２ｃ若しくは選択キー（左）８２ｄを用いて行う。操作の手順は、まず、第一の操作部により、サーチ動作の種類を決定し、第二の操作部により、サーチ速度を段階的に変更することができる。
【００２４】
以上のような本実施例における再生装置１の構成によれば、従来のサーチ速度の変更方法のように、速度の増加方向のみの変更だけではなく、速度を増減自在に変更できるので、ユーザの利便性が向上する。また、リモコンの構成も、ＤＶＤ（Ｄｉｇｉｔａｌ  Ｖｉｒｓａｔｉｌｅ  Ｄｉｓｋ）又はＨＤＤ（Ｈａｒｄ  Ｄｉｓｋ  Ｄｒｉｖｅ）再生装置などに一般的に用いられている、サーチキーと選択キーという構成で十分対応ができるため、新たに製造コストが必要とならず、低コストにて実現可能である。更に、選択キーにより速度の変更が可能であるため、ユーザは直感的に操作を行うことができる。
【００２５】
以上、本発明の実施例を詳述したが、本発明は前記実施例に限定されるものではなく、本発明の要旨の範囲内で種々の変形実施が可能である。例えば、本実施例の操作手段の一例としてリモコンを取り上げたが、これに限定せずに、再生装置１が備える操作手段に適用してもよい。また、サーチ速度の段階的な変更を選択キー（上）８２ａ、選択キー（右）８２ｂによって速度の上昇を、選択キー（下）８２ｃ、選択キー（左）８２ｄによって速度の減少を行うとしたが、早送り時は選択キー（上）８２ａと選択キー（右）８２ｂによりサーチ速度の上昇を、選択キー（下）８２ｃ、選択キー（左）８２ｄによって速度の減少を行い、早戻し時には、選択キー（上）８２ａと選択キー（左）８２ｄによりサーチ速度の上昇を、選択キー（下）８２ｃ、選択キー（右）８２ｂによって速度の減少を行なうなど、ユーザの利便性にあわせて適宜変更しても何ら問題は無い。
【図面の簡単な説明】
【００２６】
【図１】本発明の実施例を示す、再生装置の構成を示すブロック図である。
【図２】同上、サーチ速度変更時における再生装置の動作を示すフローチャート図である。
【図３】同上、再生装置の遠隔操作を行うリモコンを示す説明図である。
【符号の説明】
【００２７】
１  再生装置
２  記憶媒体
３  再生手段
４  映像／音声処理手段
５  制御手段
７  操作手段
８  リモコン（操作手段）
【図１】
2007026599.tif 000003
【図２】
2007026599.tif 000004
【図３】
2007026599.tif 000005